(57)【要約】【課題】うつ伏せの状態で横たわるユーザーがプロジェクターの画像を大画面で視聴できるプロジェクタースクリーン付きクッション及びこのクッションを用いたベッドを提供する。【解決手段】本発明のプロジェクタースクリーン付きクッション1は、中空で内部に空気又は光透過性を有する流体11が充填されているクッション本体部10と、クッション本体部の上部に配置される第1透過型スクリーン層20と、クッション本体部の内部であって第1透過型スクリーン層の下方に配置されると共に第1プロジェクターP1の光を反射して第1透過型スクリーン層に投写する第1反射鏡30とを備えており、クッション本体部が第1プロジェクターの光を透過する透明部14を備えており、ユーザーUがクッション本体部にうつ伏せで横たわり、顔を下側に向けた状態で、透明部を介して第1透過型スクリーン層に投写された画像を視聴する。【選択図】図１
2018042654.tif 000002
【特許請求の範囲】
【請求項１】
中空で内部に空気又は光透過性を有する流体が充填されているクッション本体部と、
前記クッション本体部の上部に配置される第1透過型スクリーン層と、
前記クッション本体部の内部であって前記第1透過型スクリーン層の下方に配置されると共に第1プロジェクターから投写された光を反射して前記第1透過型スクリーン層に投写する第1反射鏡とを備えており、
前記クッション本体部が前記第1プロジェクターの光を透過する透明部を備えており、
ユーザーが前記クッション本体部にうつ伏せで横たわり、顔を下側に向けた状態で、前記透明部を介して前記第1透過型スクリーン層に投写された画像を視聴することを特徴とするプロジェクタースクリーン付きクッション。
【請求項２】
前記第1反射鏡の水平面に対する傾斜角を変える角度調節機構を備えることを特徴とする請求項1に記載のプロジェクタースクリーン付きクッション。
【請求項３】
前記クッション本体部が収縮性及び可撓性を有しており、前記第1透過型スクリーン層及び前記第1反射鏡が可撓性を有しており、
丸める又は折り畳むことができることを特徴とする請求項1又は2に記載のプロジェクタースクリーン付きクッション。
【請求項４】
前記クッション本体部の前記透明部以外の部分が光を透過しないことを特徴とする請求項1〜3のいずれか一項に記載のプロジェクタースクリーン付きクッション。
【請求項５】
前記第1反射鏡を前記クッション本体部の内部から外部に取り出すことができることを特徴とする請求項1〜4のいずれか一項に記載のプロジェクタースクリーン付きクッション。
【請求項６】
前記第1透過型スクリーン層に皺が生じるのを防ぐための皺防止手段を備えることを特徴とする請求項1〜5のいずれか一項に記載のプロジェクタースクリーン付きクッション。
【請求項７】
前記クッション本体部の上部から鉛直方向にのびる第2透過型スクリーン層を1枚又は2枚以上備えることを特徴とする請求項1〜6のいずれか一項に記載のプロジェクタースクリーン付きクッション。
【請求項８】
前記クッション本体部の周囲を囲む外骨格部を備えることを特徴とする請求項1〜7のいずれか一項に記載のプロジェクタースクリーン付きクッション。
【請求項９】
前記クッション本体部の内部であって前記第1透過型スクリーン層の下方に配置されると共に第2プロジェクターから投写された光を反射して前記第1透過型スクリーン層に投写する第2反射鏡を備えることを特徴とする請求項1〜8のいずれか一項に記載のプロジェクタースクリーン付きクッション。
【請求項１０】
請求項1〜9のいずれか一項に記載のプロジェクタースクリーン付きクッションを嵌め込むことができる開口部を備えることを特徴とするベッド。
【発明の詳細な説明】
【技術分野】
【０００１】
本発明は、うつ伏せの状態で横たわるユーザーがプロジェクターの画像を大画面で視聴できるプロジェクタースクリーン付きクッション及びベッドを提供することを課題とする。
【背景技術】
【０００２】
プロジェクターは直視型ディスプレイと比較して大きなサイズの画像（動画像及び静止画像）を低コストで視聴できる利点を有しており、従来、ベッドに仰向けの姿勢で横たわるユーザーに向けたシステムが存在している。
例えば特許文献1にはベッドの足元に置いたプロジェクターから天井に光を投写して天井そのものを大きなスクリーンとして利用する技術が開示されている。
また、特許文献2にはベッドの足側に起立自在のスクリーンを設け、ベッドの頭部側に置いたプロジェクターからスクリーンに光を投写する技術が開示されている。
【先行技術文献】
【特許文献】
【０００３】
【特許文献１】特表2004−516521号公報
【特許文献２】実開平5−60353号公報
【発明の概要】
【発明が解決しようとする課題】
【０００４】
しかし、上記従来の技術はあくまでベッドに仰向けの姿勢で横たわるユーザーが大画面で視聴できるシステムであり、ベッドにうつ伏せの姿勢で横たわるユーザーに向けたシステムではない。
【０００５】
本発明は上記問題に鑑み、うつ伏せの状態で横たわるユーザーがプロジェクターの画像を大画面で視聴できるプロジェクタースクリーン付きクッション及びこのクッションを用いたベッドを提供することを課題とする。
【課題を解決するための手段】
【０００６】
本発明のプロジェクタースクリーン付きクッションは、中空で内部に空気又は光透過性を有する流体が充填されているクッション本体部と、前記クッション本体部の上部に配置される第1透過型スクリーン層と、前記クッション本体部の内部であって前記第1透過型スクリーン層の下方に配置されると共に第1プロジェクターから投写された光を反射して前記第1透過型スクリーン層に投写する第1反射鏡とを備えており、前記クッション本体部が前記第1プロジェクターの光を透過する透明部を備えており、ユーザーが前記クッション本体部にうつ伏せで横たわり、顔を下側に向けた状態で、前記透明部を介して前記第1透過型スクリーン層に投写された画像を視聴することを特徴とする。
また、前記第1反射鏡の水平面に対する傾斜角を変える角度調節機構を備えることを特徴とする。
また、前記クッション本体部が収縮性及び可撓性を有しており、前記第1透過型スクリーン層及び前記第1反射鏡が可撓性を有しており、丸める又は折り畳むことができることを特徴とする。
【０００７】
また、前記クッション本体部の前記透明部以外の部分が光を透過しないことを特徴とする。
また、前記第1反射鏡を前記クッション本体部の内部から外部に取り出すことができることを特徴とする。
また、前記第1透過型スクリーン層に皺が生じるのを防ぐための皺防止手段を備えることを特徴とする。
また、前記クッション本体部の上部から鉛直方向にのびる第2透過型スクリーン層を1枚又は2枚以上備えることを特徴とする。
【０００８】
また、前記クッション本体部の周囲を囲む外骨格部を備えることを特徴とする。
また、前記クッション本体部の内部であって前記第1透過型スクリーン層の下方に配置されると共に第2プロジェクターから投写された光を反射して前記第1透過型スクリーン層に投写する第2反射鏡を備えることを特徴とする。
本発明のベッドは、上記プロジェクタースクリーン付きクッションを嵌め込むことができる開口部を備えることを特徴とする。
【発明の効果】
【０００９】
本発明では、第1プロジェクターの光を下方から第1透過型スクリーン層に投写し、その画像をユーザーが視聴する仕組みであり、これによりうつ伏せの状態で横たわるユーザーがプロジェクターの画像を大画面で視聴できる。
仮に、天井面にプロジェクターの光軸が垂直方向下向きになるよう設置して、マットレスの表面をスクリーンにした場合、画像の一部がユーザー自身や掛布団等によって遮られたり、ユーザーの影が画像に写り込んだりするという問題がある。また、ユーザーが仰向けになった際にプロジェクターの光が直接目に入ってしまうという安全上の問題もある。
本発明では、プロジェクターの光を下方から上方に向けて透過型スクリーンに投影することによりこの問題を解決した。
【００１０】
また、下方から上方に向けて第1プロジェクターの光を投写するにあたり、ベッド下の空間にプロジェクターの光軸が垂直方向上向きになるよう設置する方法が考えられる。しかし、画像を大画面で映すにはスクリーンからプロジェクターまでの距離をある程度長くとる必要があり、ベッド下にプロジェクターを垂直に設置した場合、当該距離を充分に確保できないという問題がある。また、このような垂直設置に対応したプロジェクターを用意する必要があり、プロジェクター選択の自由度が制限されるという問題もある。
本発明では第1反射鏡を用いて水平方向からの第1プロジェクターの光を垂直方向上向きに反射させることによりこの問題を解決した。また、第1反射鏡から第1プロジェクターまでの距離を変えることで画像のサイズをコントロール出来るため、画像を第1透過型スクリーン層のサイズに合わせることができる。
また、第1透過型スクリーン層に投写された大画面の画像をクッション本体部内の空気、水、ジェル等を通して視聴することになり、ユーザーは独特の浮遊感と臨場感を体験出来るため遊戯用に適している。
また、パスカルの原理により、ユーザーの体重によって生じた圧力はクッション本体部内の空気や水等の流体を介してクッション本体部の外殻を構成する各面に分散して掛かることになる(図1(a)のクッション本体部10内部の矢印参照)。これにより、クッション本体部を構成する各面の平坦性が維持され、第1透過型スクリーン層に皺が生じにくくすることができる。
また、ベッドにうつ伏せの状態で視聴できるため、腰痛等で仰向け状態でいることが苦しい患者等の介護用にも適している。
【００１１】
角度調節機構を用いて第1反射鏡の傾斜角を変えることで第1プロジェクターの設置位置の自由度を増すことができ、また、第1透過型スクリーン層上の画像の位置を変えることができる。
クッション本体部に収縮性及び可撓性を持たせ、第1透過型スクリーン層及び第1反射鏡に可撓性を持たせることでプロジェクタースクリーン付きクッションを丸める又は折り畳むことができ、容易に持ち運びできるようになる。また、プロジェクタースクリーン付きクッションの軽量化にも寄与できる。
【００１２】
クッション本体部の透明部以外の部分が光を透過しない構成にすれば、第1反射鏡で反射された光がクッション本体部の外側に漏れ出すことがなくなり周囲の第3者に迷惑を掛けることがなくなる。また、第1プロジェクターから投写される光以外の光が第1反射鏡に入射することがなくなるので、ユーザーは鮮明な画像を見ることができる。
第1反射鏡をクッション本体部の内部から外部に取り出すことができる構成にすれば、第1反射鏡を抜き出した状態のクッション本体部を収縮させて容易に持ち運びできるようになる。また、第1反射鏡が汚れた場合や破損した場合のメンテナンス性に優れる。
第1透過型スクリーン層に皺が生じるのを防ぐための皺防止手段を設けることでユーザーは鮮明な画像を見ることができる。
クッション本体部の上部から鉛直方向にのびる第2透過型スクリーン層を1枚又は2枚以上備えることにすれば、ユーザーはうつ伏せの状態で第1透過型スクリーン層の画像を見て、横向きの状態で第2透過型スクリーン層の画像を見ることができる。
【００１３】
クッション本体部の周囲を囲む外骨格部を備えることにすればクッション本体部の撓み量を抑えることができ、うつ伏せ状態のユーザーの姿勢を安定化させることができると共に第1透過型スクリーン層に生じる皺を抑制できる。
第2プロジェクターから投写された光を反射して第1透過型スクリーン層に投写する第2反射鏡を備えることにすれば、ユーザーは第1プロジェクターの画像と第2プロジェクターの画像を共に見ることができる。第1プロジェクターの画像と第2プロジェクターの画像を合わせて一つの大きな画像となるように調節する場合、床面から第1透過型スクリーン層までの距離を短くすることができるので、プロジェクタースクリーン付きクッションの高さを抑えることができる。
ベッドにプロジェクタースクリーン付きクッションを嵌め込むことができる開口部を設けることで、ユーザーはベッドにうつ伏せの状態で大画面の画像を視聴できると共に、不使用時にはそのまま睡眠することもできる。
【図面の簡単な説明】
【００１４】
【図１】第1の実施の形態におけるプロジェクタースクリーン付きクッションの正面図(a)、側面図(b)及び収縮状態を示す正面図(c)
【図２】第1透過型スクリーン層の端部をポケットに挿入した状態を示す平面図(a)及び側面図(b)
【図３】第1透過型スクリーン層をクッション本体部の上面の内部に固定した状態を示す正面図
【図４】皺防止手段としての透明板をクッション本体部の上面のうち外部に取り付けた状態を示す正面図(a)及び内部に取り付けた状態を示す正面図(b)
【図５】ポケットの構造を示す斜視図(a)及びポケットに透明板を挿入した状態を示す斜視図(b)
【図６】角度調節機構の構成例を示す正面図(a)及び側面図（b）
【図７】角度調節機構の他の構成例を示す正面図
【図８】角度調節機構の他の構成例を示す正面図(a)及び側面図（b）
【図９】クッション本体部の透明部以外の部分を光を透過しない構造にした状態を示す正面図
【図１０】外骨格部をクッション本体部の前後から挿入した状態を示す正面図(a)及び側面図(b)、左右から挿入した状態を示す正面図(c)及び側面図(d)
【図１１】クッション本体部に収縮性及び可撓性を持たせ、透過型スクリーン層及び第1反射鏡に可撓性を持たせた状態の正面図(a)、側面図（b）及びプロジェクタースクリーン付きクッションの収縮状態を示す正面図(c)及び丸めた状態を示す正面図（d）
【図１２】クッション本体部にスリットを設けた状態を示す正面図(a)、平面図(b)及び第1反射鏡をスリットから取り出した状態を示す正面図(c)
【図１３】クッション本体部に設けたスリットによって内部を2区画に分割した構成を示す正面図(a)及びスリットに第1反射鏡を挿入する状態を示す正面図(b)
【図１４】第2の実施の形態におけるプロジェクタースクリーン付きクッションを示す正面図(a)及び比較として第1の実施の形態のプロジェクタースクリーン付きクッションを示す正面図(b)
【図１５】第1の実施の形態で示したプロジェクタースクリーン付きクッションを左右に二つ対向配置した状態を示す正面図(a)及び側面図(b)
【図１６】第3の実施の形態における第2透過型スクリーン層を1枚備える構成を示す正面図(a)及び第2透過型スクリーン層専用のプロジェクターを用いる構成を示す正面図(b)
【図１７】クッション本体部の左右に2枚の第2透過型スクリーン層を備える構成を示す正面図(a)及び光非透過性の材料からなる膜を備える構成を示す正面図(b)
【図１８】プロジェクタースクリーン付きクッションを開口部に嵌め込む状態を示す側面図(a)、嵌め込んだ状態を示す側面図（b）及び平面図（c）
【発明を実施するための形態】
【００１５】
［第1の実施の形態］
以下、本発明のプロジェクタースクリーン付きクッションの第1の実施の形態を図面を用いて示す。
図1に示すように、プロジェクタースクリーン付きクッション1にユーザーUがうつ伏せで顔を下側に向けた状態で横たわり、第1プロジェクターP1から投写された光を第1反射鏡30で反射して第1透過型スクリーン層20に写すことで大画面の画像を視聴するものである。
【００１６】
プロジェクタースクリーン付きクッション1はクッション本体部10、第1透過型スクリーン層20、第1反射鏡30及び角度調節機構40から概略構成される。
クッション本体部10は中空で内部に空気又は光透過性を有する流体11が充填されている。クッション部の材料としては例えば軟質塩化ビニール等の透明性及び柔軟性を有する材料が好ましいが必ずしもこれに限定されない。
空気又は光透過性を有する流体11は注入口12を介してクッション本体部10の内部に充填される。光透過性を有する流体11としては水等の透明な液体や透明性を有するジェル等の物質が挙げられるが必ずしもこれらに限定されない。
本実施の形態ではクッション本体部10の形状を直方体にしているが、他にも例えば円柱形、断面かまぼこ型、断面半月型等であってもよい。クッション本体部10の寸法としてはその上部にユーザーUがうつ伏せで横たわることができる程度の長さ及び幅を備えているのが好ましい。
【００１７】
第1透過型スクリーン層20はクッション本体部10の上部に配置され、第1プロジェクターP1の光が投写される。第1透過型スクリーン層20は周知の透過型スクリーンを用いればよいためその材料及び性質については説明を省略する。
第1透過型スクリーン層20の固定方法としては、例えば図2に示すように第1透過型スクリーン層20の端部をクッション本体部10の上面の外部に配置したポケット21に挿入する方法、面ファスナー、ファスナー、ホック等の周知の手段で脱着自在に固定する方法、接着剤で固着する方法等が挙げられる。なお、図3に示すように第1透過型スクリーン層20をクッション本体部10の上面の内部に固定してもよい。
また、図4(a)に示すように皺防止手段50として第1透過型スクリーン層20の下面（上面でもよい）に透明板51を介在させることにしてもよい。透明板51は強化ガラス、透過性プラスチック、アクリル等の透明性を有する材料で製造すればよい。更に、図4(b)に示すように透明板51をクッション本体部10の側面であって第1プロジェクターP1の光が通過する箇所に取り付けることで、当該箇所に皺が生じることを防止できる。透明板51は図5に示すようにその端部をポケット52に挿入したり、面ファスナー等の周知の手段で脱着自在に固定したり、接着剤で固着させればよい。
【００１８】
第1反射鏡30はクッション本体部10の内部であって第1透過型スクリーン層20の下方に配置されると共に第1プロジェクターP1からの光を反射して第1透過型スクリーン層20に投写するために設けられる。本実施の形態では第1反射鏡30として平板状で可撓性をほとんど持たない一般的な鏡を用いている。
角度調節機構40は第1反射鏡30の水平面に対する傾斜角を変えるために設けられ、本実施の形態では第1反射鏡30の下部に取り付けられる。具体的には角度調整機構は連結部41と脚部42とから成り、連結部41が脚部42に軸支されることで軸支箇所を中心にして回転可能な構造になっている。連結部41を第1反射鏡30の下部に固定し、脚部42をクッション本体部10の底面に固定することで第1反射鏡30は鉛直面内で回転可能となり、これにより第1反射鏡30の水平面に対する傾斜角を変えることができる。
第1プロジェクターP1の光軸を水平面に対して平行にした状態で光を投写する場合、第1反射鏡30の水平面に対する傾斜角を45度にするのが好ましい。傾斜角を45度にすることで、第1反射鏡30で反射した光を第1透過型スクリーン層20に対して垂直に入射させることができ、投写した画像のゆがみを極力抑えることができる。また、傾斜角の角度を調整する代わりに第1プロジェクターP1に搭載されているゆがみを抑える台形補正機能(現在市販のプロジェクターにはほぼ全ての機種で搭載されている)を用いる事でゆがみを抑えても良い。なお、第1プロジェクターP1の光は必要に応じて反転させて投写する必要がある。
【００１９】
角度調節機構40として図6〜図8のいずれかの構成を採用してもよい。
図6の角度調節機構は、第1反射鏡30の裏面（反射面を備えない面）に貼り付ける可撓性を有する裏当て材43、第1反射鏡30の下部に取り付けるチェーン44、クッション本体部10の内側面の一部に取り付けるフック45から構成される。裏当て材43の上辺はクッション本体部10の上面の内部に固定されており(図中に破線の丸で囲んだ箇所)、これにより固定された箇所を中心にして第1反射鏡30を鉛直面内で回転可能に支持している。ユーザーUはクッション本体部10の内部の空気等を僅かに抜いてクッション本体部10を僅かに収縮させた状態で、クッション本体部10の外側からチェーン44を把持してフック45に引っ掛ける。フック45をチェーン44に引っ掛ける位置によって第1反射鏡30の傾斜角を変えることができる。
図7の角度調節機構は、図6の角度調節機構と比較してチェーン44及びフック45の替わりに紐46と栓47を用いる点が異なる。具体的には、紐46の一端は第1反射鏡30の下部に取り付けられており、他端は栓47の軸部47aの周縁に取り付けられている。栓47の頭部47bはクッション本体部10の側面に設けた開口部13から外部に露出している。開口部13を軸部47aの上からOリングやゴムパッキン48等で締めることでクッション本体部10の内部の空気等が漏れ出さないようにしている。ユーザーUが頭部47bを軸回りに回して紐46を軸部47aに巻き付けることで第1反射鏡30の下部が軸部47aの方向に引っ張られていき、これにより第1反射鏡30の傾斜角を変えることができる。
図8の角度調節機構は、図7の角度調節機構と比較して、栓47の替わりに膨張部49を用いる点が異なる。具体的には、紐46の他端を膨張部49の上端に取り付けられている。ユーザーUが注入口49aを介して空気等を膨張部49内に導入すると、膨張部49の体積が増加し、これにともない第1反射鏡30の下部が上方に引っ張られていき、これにより第1反射鏡30の傾斜角を変えることができる。
なお、プロジェクタースクリーン付きクッション1が角度調節機構40を備えない構成にしてもよい。
【００２０】
クッション本体部10は少なくとも一部に透明部14（図1(a)参照）を備える。クッション本体部10の外に配置した第1プロジェクターP1から投写された光は透明部14を通過してクッション本体部10内に配置した第1反射鏡30で反射して第1透過型スクリーン層20に至る。換言すると、クッション本体部10の外殻を構成する面であって第1プロジェクターP1から第1反射鏡30にまで至る光路及び第1反射鏡30から第1透過型スクリーン層20にまで至る光路と重なる箇所に透明部14を設けることになる。
透明部14は軟質塩化ビニール等の樹脂やガラス等の透明性を有する材料で製造すればよいが、後述するようにクッション本体部10に収縮性及び可撓性を持たせる場合には透明部14を軟質塩化ビニール等の樹脂で製造するのが好ましい。
【００２１】
図9に示すように、クッション本体部10の透明部14以外の部分が光を透過しない構造にしてもよい。具体的には、クッション本体部10の透明部14以外の部分に光非透過性の膜Sを貼り付けたり、光非透過性の材料を塗布したり、或いは当該部分自体を光非透過性の材料で製造すればよい。これにより、クッション本体部10の内側から外側に向いた光L1の拡散を抑制でき、ユーザーU以外の第3者Xに眩しい等の不快な思いをさせずに済む。また、第1プロジェクターP1等から出るクッション本体部10の外側から内側に入り込む迷光L2が減るのでユーザーUは第1プロジェクターP1の画像を鮮明に見ることができる。
図10に示すように、クッション本体部10の周囲を囲む外骨格部60を設けてもよい。具体的には、四角枠状の部材をクッション本体部10の前後（図10(a)及び(b)）又は左右（図10(c)及び(d)）から挿入することでユーザーUの体重等によるクッション本体部10の撓み等の変形を防止し、うつ伏せ状態のユーザーUの姿勢を安定化させることができると共に第1透過型スクリーン層20に皺が生じる等の不具合を防止できる。
【００２２】
また、図11に示すように、クッション本体部10に収縮性及び可撓性を持たせ、透過型スクリーン層及び第1反射鏡30に可撓性を持たせてもよい。この場合、プロジェクタースクリーン付きクッション1を収縮させて丸める又は折り畳むことができるため可搬性が向上する(図1(c)、図11(c)及び(d)参照)。
また、図11の構成において図12に示すようにクッション本体部10の上面から斜め下方に至るスリット15を設けてもよい。この場合、第1反射鏡30に可撓性を持たせる必要がなく、第1反射鏡30として平板状で可撓性をほとんど持たない一般的な鏡を使用できる。使用時には第1反射鏡30をスリット15に挿入することで第1反射鏡30を水平面に対して傾斜させた状態で保持でき、不使用時には第1反射鏡30をスリット15から取り出した状態でクッション本体部10を丸める又は折り畳むことができる。また、第1反射鏡30が汚れた場合や破損した場合のメンテナンス性に優れる。なお、第1反射鏡30の傾斜角の調節はクッション本体部10に充填する空気等の量を調節することで行なうことができる。また、図13に示すようにクッション本体部10に設けたスリット15aによって内部を2区画A，Bに分割する構造にしてもよい。この場合、各区画A,Bへの空気等の充填量を調節することで第1反射鏡30の傾斜角の調節をより正確に行なうことができる。
【００２３】
［第2の実施の形態］
次に、本発明のプロジェクタースクリーン付きクッションの第2の実施の形態について説明するが、上記第1の実施の形態と同一の構成になる箇所については同一の符号を付してその説明を省略する。
図14に示すように、本実施の形態のプロジェクタースクリーン付きクッション2は第2反射鏡31を備える点に特徴を有する。具体的には、第2反射鏡31はクッション本体部10の内部であって第1透過型スクリーン層20の下方に配置される。更に、第2反射鏡31は、クッション本体部10の外部に配置した第2プロジェクターP2の光を反射して第1透過型スクリーン層20に投写する。第1プロジェクターP1の光軸と第2プロジェクターP2の光軸を同一直線状に沿うように対向配置するのが好ましい。そして、第1プロジェクターP1からの画像を例えば全体画像の右半分、第2プロジェクターP2からの画像を全体画像の左半分にすることで、第1反射鏡30で反射されて第1透過型スクリーン層20に投写された画像と、第2反射鏡31で反射されて第1透過型スクリーン層20に投写された画像とを合体させて一つの大画面の画像にすることができる。
このような構成にすると上記第1の実施の形態で示した第1反射鏡30のみの構成と比較して、第1反射鏡30及び第2反射鏡31から第1透過型スクリーン層20までの距離を短くすることができ、プロジェクタースクリーン付きクッション2の高さを抑えることができる。
なお、図15に示すように第1の実施の形態で示したプロジェクタースクリーン付きクッション1を左右に二つ対向配置した場合には、第1の実施の形態で示したプロジェクタースクリーン付きクッション1と比較して左右方向の長さ（幅）が2倍の画像を見ることができる。
【００２４】
［第3の実施の形態］
次に、本発明のプロジェクタースクリーン付きクッションの第3の実施の形態について説明するが、上記第1及び第2の実施の形態と同一の構成になる箇所については同一の符号を付してその説明を省略する。
図16(a)に示すように、本実施の形態のプロジェクタースクリーン付きクッション3は、クッション本体部10の上部右側から鉛直方向にのびる第2透過型スクリーン層70を1枚備える点に特徴を有する。
第2透過型スクリーン層70は透明性を有するクッション材71に貼り付けられており、クッション材71は紐や棒72等で支えられている。
コンピューターCによる制御で第1プロジェクターP1の画像を上下で同一にすれば、上方の画像を第2透過型スクリーン層70に投写して、下方の画像を第1反射鏡30を介して第1透過型スクリーン層20に投写できる。ユーザーUはうつ伏せの状態では第1透過型スクリーン層20、横向きの状態では第2透過型スクリーン層70によって同一画像を見ることができる。
なお、図16(b)に示すように第2透過型スクリーン層70専用のプロジェクターP3を用いてもよい。更に、図17(a)に示すようにクッション本体部10の左右に2枚の第2透過型スクリーン層70を設けることにしてもよい。また、第2透過型スクリーン層70のクッション材71に凸部73を設けておき、クッション本体部10に設けた凹部74に凸部73を嵌め込むことで第2透過型スクリーン層70を支える構造にしてもよい。また、図17(b)に示すように左右2枚の第2透過型スクリーン層70の替わりに光非透過性の材料からなる膜75設けることで各プロジェクターから出る迷光L2を遮蔽する仕組みにしてもよい。
【００２５】
次に、本発明のプロジェクタースクリーン付きクッション1を用いたベッドについて説明するが、上記各実施の形態と同一の構成になる箇所については同一の符号を付してその説明を省略する。
図18に示すように本発明のベッド100はプロジェクタースクリーン付きクッション1を嵌め込むことができる開口部101を備える点に特徴を有する。
開口部101はベッドフレーム102に設ければよいが、ベッド100がマットレスを備える場合には当該マットレスにも開口部101を設ける必要がある。また、ベッド100の製造時に予めプロジェクタースクリーン付きクッション1を組み込んでおいてもよい。ユーザーUはベッド100にうつ伏せの状態で大画面の画像を視聴できると共に、プロジェクタースクリーン付きクッション1の不使用時にはそのまま睡眠することもできる。
【産業上の利用可能性】
【００２６】
本発明は、うつ伏せの状態で横たわるユーザーがプロジェクターの画像を大画面で視聴できるプロジェクタースクリーン付きクッション及びこのクッションを用いたベッドに関するものであり、産業上の利用可能性を有する。
【符号の説明】
【００２７】
A,B 区画
C コンピューター
L1 クッション本体部の内側から外側に向いた光
L2 迷光
P1 第1プロジェクター
P2 第2プロジェクター
P3 プロジェクター
S 光非透過性の膜
U ユーザー
X 第3者
1 プロジェクタースクリーン付きクッション
2 プロジェクタースクリーン付きクッション
3 プロジェクタースクリーン付きクッション
10 クッション本体部
11 流体
12 注入口
13 開口部
14 透明部
15 スリット
15a スリット
20 第1透過型スクリーン層
21 ポケット
30 第1反射鏡
31 第2反射鏡
40 角度調節機構
41 連結部
42 脚部
43 裏当て材
44 チェーン
45 フック
46 紐
47 栓
47a 軸部
47b 頭部
48 Oリングやゴムパッキン
49 膨張部
49a 注入口
50 皺防止手段
51 透明板
52 ポケット
60 外骨格部
70 第2透過型スクリーン層
71 クッション材
72 紐や棒
73 凸部
74 凹部
75 膜
100 ベッド
101 開口部
102 ベッドフレーム
【図１】
2018042654.tif 000003
【図２】
2018042654.tif 000004
【図３】
2018042654.tif 000005
【図４】
2018042654.tif 000006
【図５】
2018042654.tif 000007
【図６】
2018042654.tif 000008
【図７】
2018042654.tif 000009
【図８】
2018042654.tif 000010
【図９】
2018042654.tif 000011
【図１０】
2018042654.tif 000012
【図１１】
2018042654.tif 000013
【図１２】
2018042654.tif 000014
【図１３】
2018042654.tif 000015
【図１４】
2018042654.tif 000016
【図１５】
2018042654.tif 000017
【図１６】
2018042654.tif 000018
【図１７】
2018042654.tif 000019
【図１８】
2018042654.tif 000020
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
中空で内部に空気又は光透過性を有する流体が充填されているクッション本体部と、
前記クッション本体部の上部に配置される第1透過型スクリーン層と、
前記クッション本体部の内部であって前記第1透過型スクリーン層の下方に配置されると共に第1プロジェクターから投写された光を反射して前記第1透過型スクリーン層に投写する第1反射鏡とを備えており、
前記クッション本体部が前記第1プロジェクターの光を透過する透明部を備えており、
ユーザーが前記クッション本体部にうつ伏せで横たわり、顔を下側に向けた状態で、前記透明部を介して前記第1透過型スクリーン層に投写された画像を視聴するものであり、
前記クッション本体部が収縮性及び可撓性を有しており、前記第1透過型スクリーン層及び前記第1反射鏡が可撓性を有しており、
丸める又は折り畳むことができることを特徴とするプロジェクタースクリーン付きクッション。
【請求項２】
前記第1反射鏡の水平面に対する傾斜角を変える角度調節機構を備えることを特徴とする請求項1に記載のプロジェクタースクリーン付きクッション。
【請求項３】
前記クッション本体部の前記透明部以外の部分が光を透過しないことを特徴とする請求項1又は2に記載のプロジェクタースクリーン付きクッション。
【請求項４】
前記第1反射鏡を前記クッション本体部の内部から外部に取り出すことができることを特徴とする請求項1〜3のいずれか一項に記載のプロジェクタースクリーン付きクッション。
【請求項５】
前記第1透過型スクリーン層に皺が生じるのを防ぐための皺防止手段を備えることを特徴とする請求項1〜4のいずれか一項に記載のプロジェクタースクリーン付きクッション。
【請求項６】
前記クッション本体部の周囲を囲む外骨格部を備えることを特徴とする請求項1〜5のいずれか一項に記載のプロジェクタースクリーン付きクッション。
【請求項７】
前記クッション本体部の内部であって前記第1透過型スクリーン層の下方に配置されると共に第2プロジェクターから投写された光を反射して前記第1透過型スクリーン層に投写する第2反射鏡を備えることを特徴とする請求項1〜6のいずれか一項に記載のプロジェクタースクリーン付きクッション。
【請求項８】
請求項1〜7のいずれか一項に記載のプロジェクタースクリーン付きクッションを嵌め込むことができる開口部を備えることを特徴とするベッド。
【手続補正２】
【補正対象書類名】明細書
【補正対象項目名】０００６
【補正方法】変更
【補正の内容】
【０００６】
本発明のプロジェクタースクリーン付きクッションは、中空で内部に空気又は光透過性を有する流体が充填されているクッション本体部と、前記クッション本体部の上部に配置される第1透過型スクリーン層と、前記クッション本体部の内部であって前記第1透過型スクリーン層の下方に配置されると共に第1プロジェクターから投写された光を反射して前記第1透過型スクリーン層に投写する第1反射鏡とを備えており、前記クッション本体部が前記第1プロジェクターの光を透過する透明部を備えており、ユーザーが前記クッション本体部にうつ伏せで横たわり、顔を下側に向けた状態で、前記透明部を介して前記第1透過型スクリーン層に投写された画像を視聴するものであり、前記クッション本体部が収縮性及び可撓性を有しており、前記第1透過型スクリーン層及び前記第1反射鏡が可撓性を有しており、
丸める又は折り畳むことができることを特徴とする。
また、前記第1反射鏡の水平面に対する傾斜角を変える角度調節機構を備えることを特徴とする。
【手続補正３】
【補正対象書類名】明細書
【補正対象項目名】０００７
【補正方法】変更
【補正の内容】
【０００７】
また、前記クッション本体部の前記透明部以外の部分が光を透過しないことを特徴とする。
また、前記第1反射鏡を前記クッション本体部の内部から外部に取り出すことができることを特徴とする。
また、前記第1透過型スクリーン層に皺が生じるのを防ぐための皺防止手段を備えることを特徴とする。
【手続補正４】
【補正対象書類名】明細書
【補正対象項目名】００１２
【補正方法】変更
【補正の内容】
【００１２】
クッション本体部の透明部以外の部分が光を透過しない構成にすれば、第1反射鏡で反射された光がクッション本体部の外側に漏れ出すことがなくなり周囲の第3者に迷惑を掛けることがなくなる。また、第1プロジェクターから投写される光以外の光が第1反射鏡に入射することがなくなるので、ユーザーは鮮明な画像を見ることができる。
第1反射鏡をクッション本体部の内部から外部に取り出すことができる構成にすれば、第1反射鏡を抜き出した状態のクッション本体部を収縮させて容易に持ち運びできるようになる。また、第1反射鏡が汚れた場合や破損した場合のメンテナンス性に優れる。
第1透過型スクリーン層に皺が生じるのを防ぐための皺防止手段を設けることでユーザーは鮮明な画像を見ることができる。